(57)【要約】【課題】個人情報を秘匿でき、ユーザ間でデータを評価するデータ評価装置等を提供する。【解決手段】複数の携帯端末２０からの情報の集計に基づきデータの評価を行うデータ評価装置１０において、携帯端末の端末ＩＤと共にデータを携帯端末から受信し、端末ＩＤと、データと、データに関するデータＩＤとを関連付けて記憶し、携帯端末２０Ａが他の携帯端末２０Ｂから取得した他の携帯端末に関する他の端末ＩＤを、携帯端末２０Ａから受信し（Ｓ２１）、受信した他の端末ＩＤに基づき、他の端末ＩＤに関連付けられたデータを少なくとも１つ抽出し、抽出されたデータを、当該データのデータＩＤと共に携帯端末２０Ａに送信し（Ｓ２２）、送信したデータＩＤのうち少なくとも１つのデータＩＤと、データに関する評価情報と、を携帯端末２０Ａから受信し（Ｓ２６）、受信したデータＩＤと評価情報に基づき、当該データＩＤに対応するデータの評価値を算出する（Ｓ２７）。【選択図】図９
2014035758.tif 000002
【特許請求の範囲】
【請求項１】
複数の携帯端末からの情報の集計に基づきデータの評価を行うデータ評価装置において、
前記携帯端末の端末ＩＤと共にデータを、前記携帯端末から受信するデータ受信手段と、
前記端末ＩＤと、前記データと、当該データに関するデータＩＤとを関連付けて記憶する記憶手段と、
前記携帯端末が他の前記携帯端末から取得した当該他の携帯端末に関する他の端末ＩＤを、前記携帯端末から受信する他の端末ＩＤ受信手段と、
前記受信した他の端末ＩＤに基づき前記記憶手段を参照して、前記他の端末ＩＤに関連付けられた前記データを少なくとも１つ抽出するデータ抽出手段と、
前記抽出されたデータを、当該データのデータＩＤと共に前記携帯端末に送信するデータ送信手段と、
前記送信したデータＩＤのうち少なくとも１つの前記データＩＤと、前記データに関する評価情報と、を前記携帯端末から受信するデータＩＤ受信手段と、
前記受信したデータＩＤと前記評価情報に基づき、当該データＩＤに対応するデータの評価値を算出する評価手段と、
を備えたことを特徴とするデータ評価装置。
【請求項２】
請求項１に記載のデータ評価装置において、
前記携帯端末と他の前記携帯端末とが近づいた際、前記携帯端末は、無線通信により前記他の携帯端末から前記他の端末ＩＤを取得することを特徴とするデータ評価装置。
【請求項３】
請求項１または請求項２に記載のデータ評価装置において、
前記携帯端末に端末ＩＤを発行する端末ＩＤ発行手段を更に備えたことを特徴とするデータ評価装置。
【請求項４】
複数の携帯端末からの情報の集計に基づきデータの評価を行うデータ評価装置のデータ評価方法において、
前記携帯端末の端末ＩＤと共にデータを、前記携帯端末から受信するデータ受信ステップと、
前記端末ＩＤと、前記データと、当該データに関するデータＩＤとを関連付けて記憶手段に記憶する記憶ステップと、
前記携帯端末が他の前記携帯端末から取得した当該他の携帯端末に関する他の端末ＩＤを、前記携帯端末から受信する他の端末ＩＤ受信ステップと、
前記受信した他の端末ＩＤに基づき前記記憶手段を参照して、前記他の端末ＩＤに関連付けられた前記データを少なくとも１つ抽出するデータ抽出ステップと、
前記抽出されたデータを、当該データのデータＩＤと共に前記携帯端末に送信するデータ送信ステップと、
前記送信したデータＩＤのうち少なくとも１つの前記データＩＤと、前記データに関する評価情報と、を前記携帯端末から受信するデータＩＤ受信ステップと、
前記受信したデータＩＤと前記評価情報に基づき、当該データＩＤに対応するデータの評価値を算出する評価ステップと、
を含むことを特徴とするデータ評価方法。
【請求項５】
複数の携帯端末からの情報の集計に基づきデータの評価を行うデータ評価装置用のプログラムにおいて、
コンピュータを、
前記携帯端末の端末ＩＤと共にデータを、前記携帯端末から受信するデータ受信手段、
前記端末ＩＤと、前記データと、当該データに関するデータＩＤとを関連付けて記憶する記憶手段、
前記携帯端末が他の前記携帯端末から取得した当該他の携帯端末に関する他の端末ＩＤを、前記携帯端末から受信する他の端末ＩＤ受信手段、
前記受信した他の端末ＩＤに基づき前記記憶手段を参照して、前記他の端末ＩＤに関連付けられた前記データを少なくとも１つ抽出するデータ抽出手段、
前記抽出されたデータを、当該データのデータＩＤと共に前記携帯端末に送信するデータ送信手段と、
前記送信したデータＩＤのうち少なくとも１つの前記データＩＤと、前記データに関する評価情報と、を前記携帯端末から受信するデータＩＤ受信手段、および、
前記受信したデータＩＤと前記評価情報に基づき、当該データＩＤに対応するデータの評価値を算出する評価手段として機能させることを特徴とするデータ評価装置用のプログラム。
【請求項６】
データの評価を行うデータ評価装置に評価のための情報を送信する携帯端末におけるデータ評価方法において、
前記携帯端末の端末ＩＤと共に、前記データを前記データ評価装置に送信するデータ送信ステップと、
前記携帯端末が、他の前記携帯端末に関する他の端末ＩＤを前記他の携帯端末から取得する他の端末ＩＤ取得ステップと、
前記他の端末ＩＤを前記データ評価装置に送信する他の端末ＩＤ送信ステップと、
前記データ評価装置により前記他の端末ＩＤに基づき抽出されたデータを、当該データのデータＩＤと共に前記データ評価装置から受信するデータ受信ステップと、
前記受信したデータを評価させるデータ評価ステップと、
前記評価されたデータの前記データＩＤと、前記データに関する評価情報とを前記データ評価装置に送信するデータＩＤ送信ステップと、
を含むことを特徴とする携帯端末におけるデータ評価方法。
【請求項７】
請求項６に記載の携帯端末におけるデータ評価方法において、
前記他の端末ＩＤ取得ステップにおいて、前記携帯端末と他の前記携帯端末とが近づいた際、前記携帯端末は、無線通信により前記他の携帯端末から前記他の端末ＩＤを取得することを特徴とする携帯端末におけるデータ評価方法。
【請求項８】
請求項６または請求項７に記載の携帯端末におけるデータ評価方法において、
前記他の端末ＩＤを取得した時間を、前記携帯端末に表示する表示ステップと、
前記他の端末ＩＤを取得した時間を表示して、前記受信したデータを選択させるデータ選択ステップと、
を更に含むことを特徴とする携帯端末におけるデータ評価方法。
【請求項９】
複数の携帯端末と、前記各携帯端末からの情報の集計に基づきデータの評価を行うデータ評価装置と、を備えたデータ評価システムにおいて、
前記携帯端末が、
前記携帯端末の端末ＩＤと共に、前記データを前記データ評価装置に送信するデータ送信手段と、
他の携帯端末に関する他の端末ＩＤを前記他の携帯端末から取得する他の端末ＩＤ取得手段と、
前記他の端末ＩＤを前記データ評価装置に送信する他の端末ＩＤ送信手段と、
前記データ評価装置により前記他の端末ＩＤに基づき抽出されたデータを、当該データのデータＩＤと共に前記データ評価装置から受信するデータ受信手段と、
前記受信したデータを評価させるデータ評価手段と、
前記評価されたデータの前記データＩＤと、前記データに関する評価情報とを前記データ評価装置に送信するデータＩＤ送信手段と、
を有し、
前記データ評価装置が、
前記端末ＩＤと共にデータを前記携帯端末から受信するデータ受信手段と、
前記端末ＩＤと、前記データと、当該データに関するデータＩＤとを関連付けて記憶する記憶手段と、
他の前記他の端末ＩＤを、前記携帯端末から受信する他の端末ＩＤ受信手段と、
前記受信した他の端末ＩＤに基づき前記記憶手段を参照して、前記他の端末ＩＤに関連付けられた前記データを少なくとも１つ抽出するデータ抽出手段と、
前記抽出されたデータを、当該データのデータＩＤと共に前記携帯端末に送信するデータ送信手段と、
前記データＩＤと、前記評価情報とを前記携帯端末から受信するデータＩＤ受信手段と、
前記受信したデータＩＤと前記評価情報とに基づき、当該データＩＤに対応するデータの評価値を算出する評価手段と、
を有することを特徴とするデータ評価システム。
【発明の詳細な説明】
【技術分野】
【０００１】
本発明は、ユーザ間でデータを評価し合うためのデータ評価装置、データ評価方法、データ評価装置用のプログラム、携帯端末におけるデータ評価方法、および、データ評価システムに関する。
【背景技術】
【０００２】
インターネット上において、ソーシャル・ネットワーキング・サービスといった、ユーザのコミュニケーションを促進するサービスが普及している。例えば、特許文献１には、携帯端末から送信される近距離無線通信が行われた位置データおよび時間データの組合せが合致するユーザを通信相手として特定し、通信相手のユーザがコミュニティサイト上に登録しているユーザ情報を位置データと関連付けて、携帯端末に提供するコミュニティ情報流通装置が開示されている。
【先行技術文献】
【特許文献】
【０００３】
【特許文献１】特開２０１０−２１８５２４号公報
【発明の概要】
【発明が解決しようとする課題】
【０００４】
しかしながら、特許文献１では、最低２つ以上の携帯端末のすれ違い情報がサーバ装置に上がらないとすれ違いが認識されなかった。また、コミュニティサイトの情報をやり取りするため、ユーザ側のミスで個人情報の漏洩が起きる可能性があるため、ユーザが撮像した画像等のユーザのデータを評価し合う場合において、利用の促進が妨げられていた。
【０００５】
そこで、本発明は上記の問題点等に鑑みて為されたもので、その課題の一例は、個人情報を秘匿でき、ユーザ間でデータを評価する評価装置等を提供することを目的とする。
【課題を解決するための手段】
【０００６】
上記の課題を解決するために、請求項１に記載の発明は、複数の携帯端末からの情報の集計に基づきデータの評価を行うデータ評価装置において、前記携帯端末の端末ＩＤと共にデータを、前記携帯端末から受信するデータ受信手段と、前記端末ＩＤと、前記データと、当該データに関するデータＩＤとを関連付けて記憶する記憶手段と、前記携帯端末が他の前記携帯端末から取得した当該他の携帯端末に関する他の端末ＩＤを、前記携帯端末から受信する他の端末ＩＤ受信手段と、前記受信した他の端末ＩＤに基づき前記記憶手段を参照して、前記他の端末ＩＤに関連付けられた前記データを少なくとも１つ抽出するデータ抽出手段と、前記抽出されたデータを、当該データのデータＩＤと共に前記携帯端末に送信するデータ送信手段と、前記送信したデータＩＤのうち少なくとも１つの前記データＩＤと、前記データに関する評価情報と、を前記携帯端末から受信するデータＩＤ受信手段と、前記受信したデータＩＤと前記評価情報に基づき、当該データＩＤに対応するデータの評価値を算出する評価手段と、を備えたことを特徴とする。
【０００７】
また、請求項２に記載の発明は、請求項１に記載のデータ評価装置において、前記携帯端末と他の前記携帯端末とが近づいた際、前記携帯端末は、無線通信により前記他の携帯端末から前記他の端末ＩＤを取得することを特徴とする。
【０００８】
また、請求項３に記載の発明は、請求項１または請求項２に記載のデータ評価装置において、前記携帯端末に端末ＩＤを発行する端末ＩＤ発行手段を更に備えたことを特徴とする。
【０００９】
また、請求項４に記載の発明は、複数の携帯端末からの情報の集計に基づきデータの評価を行うデータ評価装置のデータ評価方法において、前記携帯端末の端末ＩＤと共にデータを、前記携帯端末から受信するデータ受信ステップと、前記端末ＩＤと、前記データと、当該データに関するデータＩＤとを関連付けて記憶手段に記憶する記憶ステップと、前記携帯端末が他の前記携帯端末から取得した当該他の携帯端末に関する他の端末ＩＤを、前記携帯端末から受信する他の端末ＩＤ受信ステップと、前記受信した他の端末ＩＤに基づき前記記憶手段を参照して、前記他の端末ＩＤに関連付けられた前記データを少なくとも１つ抽出するデータ抽出ステップと、前記抽出されたデータを、当該データのデータＩＤと共に前記携帯端末に送信するデータ送信ステップと、前記送信したデータＩＤのうち少なくとも１つの前記データＩＤと、前記データに関する評価情報と、を前記携帯端末から受信するデータＩＤ受信ステップと、前記受信したデータＩＤと前記評価情報に基づき、当該データＩＤに対応するデータの評価値を算出する評価ステップと、を含むことを特徴とする。
【００１０】
また、請求項５に記載の発明は、複数の携帯端末からの情報の集計に基づきデータの評価を行うデータ評価装置用のプログラムにおいて、コンピュータを、前記携帯端末の端末ＩＤと共にデータを、前記携帯端末から受信するデータ受信手段、前記端末ＩＤと、前記データと、当該データに関するデータＩＤとを関連付けて記憶する記憶手段、前記携帯端末が他の前記携帯端末から取得した当該他の携帯端末に関する他の端末ＩＤを、前記携帯端末から受信する他の端末ＩＤ受信手段、前記受信した他の端末ＩＤに基づき前記記憶手段を参照して、前記他の端末ＩＤに関連付けられた前記データを少なくとも１つ抽出するデータ抽出手段、前記抽出されたデータを、当該データのデータＩＤと共に前記携帯端末に送信するデータ送信手段と、前記送信したデータＩＤのうち少なくとも１つの前記データＩＤと、前記データに関する評価情報と、を前記携帯端末から受信するデータＩＤ受信手段、および、前記受信したデータＩＤと前記評価情報に基づき、当該データＩＤに対応するデータの評価値を算出する評価手段として機能させることを特徴とする。
【００１１】
また、請求項６に記載の発明は、データの評価を行うデータ評価装置に評価のための情報を送信する携帯端末におけるデータ評価方法において、前記携帯端末の端末ＩＤと共に、前記データを前記データ評価装置に送信するデータ送信ステップと、前記携帯端末が、他の前記携帯端末に関する他の端末ＩＤを前記他の携帯端末から取得する他の端末ＩＤ取得ステップと、前記他の端末ＩＤを前記データ評価装置に送信する他の端末ＩＤ送信ステップと、前記データ評価装置により前記他の端末ＩＤに基づき抽出されたデータを、当該データのデータＩＤと共に前記データ評価装置から受信するデータ受信ステップと、前記受信したデータを評価させるデータ評価ステップと、前記評価されたデータの前記データＩＤと、前記データに関する評価情報とを前記データ評価装置に送信するデータＩＤ送信ステップと、を含むことを特徴とする。
【００１２】
また、請求項７に記載の発明は、請求項６に記載の携帯端末におけるデータ評価方法において、前記他の端末ＩＤ取得ステップにおいて、前記携帯端末と他の前記携帯端末とが近づいた際、前記携帯端末は、無線通信により前記他の携帯端末から前記他の端末ＩＤを取得することを特徴とする。
【００１３】
また、請求項８に記載の発明は、請求項６または請求項７に記載の携帯端末におけるデータ評価方法において、前記他の端末ＩＤを取得した時間を、前記携帯端末に表示する表示ステップと、前記他の端末ＩＤを取得した時間を表示して、前記受信したデータを選択させるデータ選択ステップと、を更に含むことを特徴とする。
【００１４】
また、請求項９に記載の発明は、複数の携帯端末と、前記各携帯端末からの情報の集計に基づきデータの評価を行うデータ評価装置と、を備えたデータ評価システムにおいて、前記携帯端末が、前記携帯端末の端末ＩＤと共に、前記データを前記データ評価装置に送信するデータ送信手段と、他の携帯端末に関する他の端末ＩＤを前記他の携帯端末から取得する他の端末ＩＤ取得手段と、前記他の端末ＩＤを前記データ評価装置に送信する他の端末ＩＤ送信手段と、前記データ評価装置により前記他の端末ＩＤに基づき抽出されたデータを、当該データのデータＩＤと共に前記データ評価装置から受信するデータ受信手段と、前記受信したデータを評価させるデータ評価手段と、前記評価されたデータの前記データＩＤと、前記データに関する評価情報とを前記データ評価装置に送信するデータＩＤ送信手段と、を有し、前記データ評価装置が、前記端末ＩＤと共にデータを前記携帯端末から受信するデータ受信手段と、前記端末ＩＤと、前記データと、当該データに関するデータＩＤとを関連付けて記憶する記憶手段と、他の前記他の端末ＩＤを、前記携帯端末から受信する他の端末ＩＤ受信手段と、前記受信した他の端末ＩＤに基づき前記記憶手段を参照して、前記他の端末ＩＤに関連付けられた前記データを少なくとも１つ抽出するデータ抽出手段と、前記抽出されたデータを、当該データのデータＩＤと共に前記携帯端末に送信するデータ送信手段と、前記データＩＤと、前記評価情報とを前記携帯端末から受信するデータＩＤ受信手段と、前記受信したデータＩＤと前記評価情報とに基づき、当該データＩＤに対応するデータの評価値を算出する評価手段と、を有することを特徴とする。
【発明の効果】
【００１５】
本発明によれば、データ保有者の個人情報を秘匿でき、評価に参加しやすくなり、ユーザ間でデータを評価し合うことができる。
【図面の簡単な説明】
【００１６】
【図１】本発明の実施形態に係るデータ評価システムの概要構成例を示す模式図である。
【図２】図１のデータ評価装置の概要構成の一例を示すブロック図である。
【図３】図１のデータ評価装置において構築されたデータベースの一例を示す模式図である。
【図４】図１の携帯端末の概要構成の一例を示すブロック図である。
【図５】図１の携帯端末において構築されたデータベースの一例を示す模式図である。
【図６】図１の携帯端末において構築されたデータベースの一例を示す模式図である。
【図７】図１の携帯端末における端末ＩＤ取得およびデータ登録の動作例を示すシーケンス図である。
【図８】図１の携帯端末同士における端末ＩＤ交換の動作例を示すシーケンス図である。
【図９】図１のデータ評価システムにおける動作例を示すシーケンス図である。
【図１０】図１の携帯端末における表示例を示す模式図である。
【図１１】図１の携帯端末における表示例を示す模式図である。
【図１２】図９の評価処理のサブルーチンの一例を示すフローチャートである。
【発明を実施するための形態】
【００１７】
以下、図面を参照して本発明の実施形態について説明する。なお、以下に説明する実施の形態は、データ評価システムに対して本発明を適用した場合の実施形態である。
【００１８】
［１．データ評価システム、データ評価装置および携帯端末の構成および機能概要］
（１．１  データ評価システム１の構成および機能）
【００１９】
まず、本発明の第１実施形態に係るデータ評価システムの構成および概要機能について、図１を用いて説明する。
【００２０】
図１は、本実施形態に係るデータ評価システム１の概要構成例を示す模式図である。
【００２１】
図１に示すように、データ評価システム１は、複数の携帯端末からの情報の集計に基づきデータの評価を行うデータ評価装置１０と、データに対する評価情報をデータ評価装置１０に送信する携帯端末２０と、を備えている。
【００２２】
データ評価装置１０と、携帯端末２０とは、ネットワーク３により接続され、通信プロトコル（例えば、ＴＣＰ／ＩＰ）により、データの送受信が可能になっている。なお、ネットワーク３は、例えば、インターネット、専用通信回線（例えば、ＣＡＴＶ（Community Antenna Television）回線）、移動体通信網（基地局等を含む）、および、ゲートウェイ等により構築されている。また、ネットワーク３は、無線LAN(Local Area Network)を形成するための機器により構築されてもよい。
【００２３】
データ評価装置１０は、携帯端末２０に端末ＩＤを発行したり、携帯端末２０からのデータを登録したり、各携帯端末２０から、登録されているデータに対する評価情報の集計を行ったりする機能を備えている。
【００２４】
各携帯端末２０は、所定のアプリケーションがインストールされている。このアプリケーションにより、携帯端末２０が互いに、近距離無線通信ができる範囲に接近すると、お互いの端末ＩＤを交換する。ここで、近距離無線通信とは、数センチから数メートル等の近距離で行われる無線通信のことである。
【００２５】
（１．２  データ評価装置１０の構成および機能）
次に、データ評価装置１０の構成および機能について、図２および図３を用いて説明する。
図２は、データ評価装置１０の概要構成の一例を示すブロック図である。データ評価装置１０において構築されたデータベースの一例を示す模式図である。
【００２６】
図２に示すように、コンピュータとして機能するデータ評価装置１０は、通信部１１と、記憶部１２と、入出力インターフェース部１３と、システム制御部１４と、を備えている。そして、システム制御部１４と入出力インターフェース部１３とは、システムバス１５を介して接続されている。
【００２７】
通信部１１は、ネットワーク３に接続して、各携帯端末２０との通信状態を制御するようになっている。
【００２８】
記憶部１２は、例えば、ハードディスクドライブ等により構成されており、オペレーティングシステムおよびサーバプログラム等の各種プログラムや携帯端末２０から送信された画像データ（評価されるデータの一例）等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００２９】
また、記憶部１２には画像管理データベース（画像管理ＤＢ）１２ａ等が構築されている。
【００３０】
画像管理データベース１２ａには、図３に示すように、端末ＩＤと、画像データを特定するためのデータＩＤと、画像データと、画像に対する評価の評価情報が関連付けられて、記憶されている。なお、評価されるデータは、画像データに限らず、音楽データ、動画データ、ブログのデータ等でもよい。
【００３１】
入出力インターフェース部１３は、通信部１１および記憶部１２とシステム制御部１４との間のインターフェース処理を行うようになっている。
【００３２】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、システム制御部１４は、ＣＰＵ１４ａが、ＲＯＭ１４ｂや記憶部１２に記憶された各種プログラムを読み出し実行することにより、受信したデータＩＤと評価情報に基づき、当該データＩＤに対応するデータの評価値を算出する評価手段等として機能する。
【００３３】
（１．３  携帯端末２０の構成および機能）
次に、携帯端末２０の構成について、図４から図６を用いて説明する。
図４は、携帯端末２０の概要構成の一例を示すブロック図である。図５および図６は、携帯端末２０において構築されたデータベースの一例を示す模式図である。
【００３４】
図４に示すように、コンピュータとして機能する携帯端末２０（２０Ａ、２０Ｂ）は、例えば、パーソナルコンピュータやスマートフォンを含む携帯型無線電話機やＰＤＡ等の携帯端末である。携帯端末２０は、撮像部２１と、表示部２２と、操作部２３と、記憶部２４と、通信部２５と、近距離通信部２６と、ＧＰＳ部２７、入出力インターフェース部２８と、システム制御部２９とを備えている。また、携帯端末２０は、現在時刻を取得するタイマー機能を有する。
【００３５】
撮像部２１は、ＣＣＤ（Charge Coupled Device）イメージセンサやＣＭＯＳ（Complementary Metal Oxide Semiconductor）イメージセンサ等の撮像素子を有するデジタルカメラである。撮像部２１は、画像を撮像する。
【００３６】
表示部２２は、例えば、液晶表示素子またはＥＬ（Electro Luminescence）素子等によって構成されている。表示部２２に、撮像部２１により撮像した画像が表示される。
【００３７】
操作部２３は、例えば、キーボード等によって構成されている。ユーザは、操作部２３により入力する。なお、表示部２２がタッチパネルのようなタッチスイッチ方式の表示パネルの場合、操作部２３は、ユーザが接触または近接した表示部２２の位置情報を取得する。
【００３８】
記憶部２４は、例えば、シリコンディスク等からなり、オペレーティングシステム、様々なアプリケーションのプログラム等を記憶する。
【００３９】
通信部２５は、ネットワーク３の移動体通信網に接続するために、通信部２４は、無線通信機能を有し、ネットワーク３を通して、データ評価装置１０等と通信を制御する。
【００４０】
近距離通信部２６は、例えば、近接場型の無線通信により、携帯端末２０の端末ＩＤを交換するために携帯端末２０同士が通信を行う機能を有する。なお、近距離通信部２６は、赤外線通信により、携帯端末２０と通信を行ってもよい。
【００４１】
ＧＰＳ部２７は、ＧＰＳ（Global Positioning System）センサ等を有する。そして、ＧＰＳ部２７は、衛星軌道上のＧＰＳ衛星からの航法電波を受信し、携帯端末２０の位置等を検出する。
【００４２】
入出力インターフェース部２８は、撮像部２１、表示部２２等とシステム制御部２９とのインターフェースである。
【００４３】
システム制御部２９は、例えば、ＣＰＵ２９ａと、ＲＯＭ２９ｂと、ＲＡＭ２９ｃとを有する。システム制御部２９は、ＣＰＵ２９ａが、ＲＯＭ２９ｂや、ＲＡＭ２９ｃや、記憶部２４に記憶された各種プログラムを読み出して実行する。
【００４４】
［２．実施形態に係るデータ評価システムの動作］
次に、本発明の１実施形態に係るデータ評価システムの動作について図７から図１０を用いて説明する。
【００４５】
図７は、携帯端末２０における端末ＩＤ取得およびデータ登録の動作例を示すシーケンス図である。図８は、携帯端末２０同士における端末ＩＤ交換の動作例を示すシーケンス図である。図９は、データ評価システムにおける動作例を示すシーケンス図である。図１０および図１１は、携帯端末２０における表示例を示す模式図である。図１２は、評価処理のサブルーチンの一例を示すフローチャートである。
【００４６】
（２．１  画像データの登録）
まず、端末ＩＤの発行、および、撮像した画像データの登録について図７を用いて説明する。
【００４７】
図７に示すように、携帯端末２０（２０Ａ）は、データ評価装置１０に端末ＩＤを要求する（ステップＳ１）。携帯端末２０Ａのユーザは、データ評価システム１による画像データ等の評価をユーザ同士でし合うことができるように、データ評価システム１が発行する独自の端末ＩＤを取得するために、携帯端末２０Ａのシステム制御部２９は、データ評価装置１０に端末ＩＤを要求する。
【００４８】
なお、この端末ＩＤは、携帯端末２０を特定するためのＩＤであり、端末ＩＤを取得せず、携帯端末２０が有する固有のＩＤでもよい。また、データ評価装置１０は、端末ＩＤを取得するためのＷｅｂページを、携帯端末２０に送信し、ユーザにより記入された必要事項に関する情報を、携帯端末２０がデータ評価装置１０に送信してもよい。また、端末ＩＤを取得するときに、携帯端末２０は、他の携帯端末２０と端末ＩＤを交換して、画像データ等の評価を行うためのアプリケーションの取得をデータ評価装置１０等から取得してもよい。
【００４９】
次に、データ評価装置１０は、端末ＩＤを発行し、登録する（ステップＳ２）。データ評価装置１０のシステム制御部１４は、携帯端末２０Ａの要求に応じて、発行した端末ＩＤを携帯端末２０Ａに送信する。そして、システム制御部１４は、発行した端末ＩＤを記憶部２４に記憶して登録する。このように、データ評価装置１０は、携帯端末に端末ＩＤを発行する端末ＩＤ発行手段の一例として機能する。
【００５０】
次に、携帯端末２０は、画像データを生成する（ステップＳ３）。例えば、携帯端末２０Ａのユーザが、あるイベント会場等に参加して、撮像部２１のカメラを使用して撮影することにより、携帯端末２０Ａのシステム制御部２９は、画像データを生成する。
【００５１】
次に、携帯端末２０は、データＩＤを付与する（ステップＳ４）。具体的には、携帯端末２０Ａのシステム制御部２９は、撮像して生成した画像データに対して、データＩＤを生成すし、図６に示すように、データＩＤと画像データとを関連付けて、記憶部２４に記憶する。
【００５２】
次に、携帯端末２０は、登録する画像データ、または、削除する画像のデータＩＤをデータ評価装置１０に送信する（ステップＳ５）。例えば、撮像した画像をデータ評価装置１０にアップロードして登録する場合、携帯端末２０Ａのシステム制御部２９は、端末ＩＤ、画像データ、および、画像データのデータＩＤをデータ評価装置１０に送信する。また、既に登録してある画像データを削除したい場合、システム制御部２９は、端末ＩＤ、および、削除したい画像データのデータＩＤをデータ評価装置１０に送信する。このように、携帯端末２０は、携帯端末の端末ＩＤと共に、データをデータ評価装置に送信するデータ送信手段の一例として機能する。
【００５３】
次に、データ評価装置１０は登録画像数をチェックする（ステップＳ６）。データ評価装置１０のシステム制御部１４は、携帯端末２０Ａ等から、端末ＩＤと共に、画像データを受信する。そして、１つの端末ＩＤあたり、登録できる画像数に上限を設ける場合、システム制御部１４は、携帯端末２０Ａから画像データを受信した際、携帯端末２０Ａの端末ＩＤにより、画像管理ＤＢ１２ａを参照して、登録されている画像数を求める。そして、システム制御部１４は、画像数が所定数以上ならば、登録できない旨の情報および削除したい画像データを尋ねる旨の情報を携帯端末２０Ａに送信する。この場合、携帯端末２０Ａから削除したい画像データのデータＩＤがデータ評価装置１０に送信されてくる。このように、データ評価装置１０は、携帯端末の端末ＩＤと共にデータを、携帯端末から受信するデータ受信手段の一例として機能する。
【００５４】
次に、データ評価装置１０は、端末ＩＤと、データＩＤと、画像データとを関連付けて記憶する（ステップＳ７）。画像数が上限以下の場合、データ評価装置１０のシステム制御部１４は、端末ＩＤと、データＩＤと、画像データとを関連付けて記憶する。一方、削除したい画像データのデータＩＤを受信した場合、システム制御部１４は、端末ＩＤと、データＩＤに従い、画像データを画像管理ＤＢ１２ａから削除する。このように、データ評価装置１０は、端末ＩＤと、データと、当該データに関するデータＩＤとを関連付けて記憶する記憶手段の一例として機能する。
【００５５】
次に、データ評価装置１０は登録完了の通知をする（ステップＳ８）。データ評価装置１０のシステム制御部１４は、画像データを登録した後、携帯端末２０Ａに登録完了の旨の情報を送信する。または、画像データを削除した場合、削除完了の旨の情報を送信する。
【００５６】
なお、他の携帯端末２０も同様に、事前に端末ＩＤを取得しておく。
【００５７】
（２．２  端末ＩＤの交換）
次に、携帯端末２０Ａと携帯端末２０Ｂとの端末ＩＤの交換の動作について、図８を用いて説明する。
【００５８】
例えば、携帯端末２０のユーザ達が、あるイベント会場等に参加して、携帯端末２０により撮影等を行っているとする。
【００５９】
図８に示すように、携帯端末２０Ａは、近距離無線通信で待機する（ステップＳ１０）。携帯端末２０Ａのシステム制御部２９は、所定のアプリケーションを起動させ、近距離無線通信により近くに来た携帯端末２０と情報交換ができるように待機させる。
【００６０】
携帯端末２０Ｂも、ステップＳ１０と同様に、近距離無線通信で待機する（ステップＳ１１）。
【００６１】
次に、携帯端末２０Ａおよび携帯端末２０Ｂは、すれ違いの確認を行う（ステップＳ１２、Ｓ１３）。携帯端末２０（２０Ａ、２０Ｂ）のシステム制御部２９は、近距離無線通信で待機していて、近距離無線通信の周波数の電波を受信したか否かを判定して、すれ違いの確認を行う。すなわち、携帯端末２０Ａおよび携帯端末２０Ｂが、近距離無線通信の電波が届く範囲に近づいたか否かの確認を行う。さらに、携帯端末２０Ａおよび携帯端末２０Ｂは、所定のアプリケーションを利用しているか否かの確認のため、互いに通信を行う。なお、携帯端末２０Ａと携帯端末２０Ｂとは、ポーリングを行って、競合を回避するように互いに通信を行ってもよい。
【００６２】
次に、携帯端末２０Ａおよび携帯端末２０Ｂは、互いに端末ＩＤを送信する（ステップＳ１４、Ｓ１５）。携帯端末２０Ａは、自体の端末ＩＤを携帯端末２０Ｂに送信し、携帯端末２０Ｂから他の端末ＩＤ（他端末ＩＤ）を受信する。携帯端末２０Ｂは、自体の端末ＩＤを携帯端末２０Ａに送信し、携帯端末２０Ａから他の端末ＩＤを受信する。
【００６３】
このように、携帯端末と他の携帯端末とが近づいた際、携帯端末は、無線通信により他の携帯端末から他の端末ＩＤを取得する。また、携帯端末２０は、他の携帯端末に関する他の端末ＩＤを他の携帯端末から取得する他の端末ＩＤ取得手段の一例として機能する。また、携帯端末と他の携帯端末とが近づいた際、携帯端末は、無線通信により他の携帯端末から他の端末ＩＤを取得する他の端末ＩＤ取得手段の一例として機能する。
【００６４】
次に、携帯端末２０Ａおよび携帯端末２０Ｂは、時間・位置情報を取得する（ステップＳ１６、Ｓ１７）。携帯端末２０Ａのシステム制御部２９は、携帯端末２０Ｂから他端末ＩＤを受信した時間（時刻）を取得する。また、携帯端末２０ＡのＧＰＳ部２７が、携帯端末２０Ｂから他端末ＩＤを受信した所の位置情報を取得する。携帯端末２０Ｂのシステム制御部２９は、携帯端末２０Ａから他端末ＩＤを受信した時刻を取得する。また、携帯端末２０ＢのＧＰＳ部２７が、携帯端末２０Ａから他端末ＩＤを受信した所の位置情報を取得する。
【００６５】
携帯端末２０Ａのシステム制御部２９は、図５に示すように、携帯端末２０Ｂの端末ＩＤと、取得した時間と、取得した位置情報と、を関連付けて、記憶部２４に記憶する。また、携帯端末２０Ｂのシステム制御部２９は、図５に示すように、携帯端末２０Ａの端末ＩＤと、取得した時間と、取得した位置情報と、を関連付けて、記憶部２４に記憶する。
【００６６】
次に、携帯端末２０Ａは、近距離無線通信で待機する（ステップＳ１８）。携帯端末２０Ａのシステム制御部２９は、他の携帯端末２０（携帯端末２０Ｂを含む）が近づくまで、ステップＳ１０と同様に近距離無線通信で待機する。
【００６７】
携帯端末２０Ｂも、近距離無線通信で待機する（ステップＳ１９）。携帯端末２０Ｂのシステム制御部２９は、他の携帯端末２０（携帯端末２０Ａを含む）が近づくまで、ステップＳ１１と同様に近距離無線通信で待機する。
【００６８】
他の携帯端末２０が近づいて、端末ＩＤを交換した場合、携帯端末２０のシステム制御部２９は、図５に示すように、次のレコードに、他端末ＩＤと、取得した時間と、取得した位置情報と、を関連付けて記憶する。
【００６９】
（２．３  画像データの評価）
次に、データ評価システムにおける動作例について、図９から図１１を用いて説明する。
【００７０】
図９に示すように、携帯端末２０Ａは、自端末ＩＤおよび他端末ＩＤを送信する（ステップＳ２０）。携帯端末２０Ａのユーザは、他の携帯端末２０過去にすれ違った履歴を確認するために、携帯端末２０Ａのシステム制御部２９は、図５に示すようなデータベース参照して、図１０に示すように、すれ違った時刻およびすれ違った場所の位置情報を、携帯端末２０Ａの表示部２２に表示する。なお、システム制御部２９は、他端末ＩＤを表示しても、しなくてもよい。また、システム制御部２９は、他端末ＩＤの代わりのアイコン等を表示してもよい。なお、位置情報は、住所やランドマーク等に変更されて表示されてもよい。
【００７１】
そして、携帯端末２０Ａのユーザは、表示されたすれ違いに関する情報を見て、タップ等により、ある端末ＩＤ（他端末ＩＤ）に関するレコード２２ａを選択する。ユーザにより選択されると、携帯端末２０Ａのシステム制御部２９は、自端末ＩＤおよび選択された他端末ＩＤをデータ評価装置１０に送信する。
【００７２】
このように、携帯端末２０は、他の端末ＩＤをデータ評価装置に送信する他の端末ＩＤ送信手段の一例として機能する。
【００７３】
次に、データ評価装置１０は、自端末ＩＤおよび他端末ＩＤを受信する（ステップＳ２１）。データ評価装置１０のシステム制御部１４は、携帯端末２０Ａの自端末ＩＤ、および、ユーザが選択した他端末ＩＤを携帯端末２０Ａから受信する。このように、データ評価装置１０は、携帯端末が他の携帯端末から取得した当該他の携帯端末に関する他の端末ＩＤを、携帯端末から受信する他の端末ＩＤ受信手段の一例として機能する。
【００７４】
次に、データ評価装置１０は、他端末ＩＤの画像データを開示する（ステップＳ２２）。データ評価装置１０のシステム制御部１４は、携帯端末２０Ａの自端末ＩＤが、記憶部１２における端末ＩＤが登録されたデータベースを参照して、登録された端末ＩＤか否かを判断する。登録された端末ＩＤの場合、システム制御部１４は、他端末ＩＤに基づき、画像管理ＤＢ１２ａを参照して、他端末ＩＤに対応する画像データを抽出し、画像データのデータＩＤと共に、携帯端末２０Ａに送信する。なお、システム制御部１４は、各データＩＤに対応した評価値も送信してもよい。
【００７５】
このように、データ評価装置１０は、受信した他の端末ＩＤに基づき記憶手段を参照して、他の端末ＩＤに関連付けられたデータを少なくとも１つ抽出するデータ抽出手段の一例として機能する。
【００７６】
次に、システム制御部１４は、図１１に示すように、受信した画像データの画像を表示部２２にする。図１１に示すように、画像が複数の場合、前後の画像が見られるようになっている。さらに、各画像に対する評価点（評価情報の一例）が入力できるようになっている。
【００７７】
次に、携帯端末２０は、評価の処理を行う（ステップＳ２３）。携帯端末２０Ａのシステム制御部２９は、データ評価装置１０により他の端末ＩＤに基づき抽出された画像データを、データＩＤと共にデータ評価装置１０から受信した後、評価のサブルーチンにより、評価の処理を行う。例えば、システム制御部２９は、データ評価装置１０から送信された画像データの画像を表示部２２に表示する。そして、システム制御部２９は、表示された画像の中から、ユーザに好きな画像等をタップ等により選択させる。なお、評価についての詳細は、評価のサブルーチンで説明する。また、システム制御部２９は、画像等を閲覧した時点で他端末ＩＤを消去してもよい。
【００７８】
このように、携帯端末２０は、データ評価装置により他の端末ＩＤに基づき抽出されたデータを、当該データのデータＩＤと共にデータ評価装置から受信するデータ受信手段の一例として機能する。また、携帯端末２０は、受信したデータを評価させるデータ評価手段の一例として機能する。また、携帯端末２０は、他の端末ＩＤを取得した時間を、前記携帯端末に表示する表示手段の一例として機能する。
【００７９】
次に、携帯端末２０は、画像が選択された否かを判定する（ステップＳ２４）。携帯端末２０Ａのシステム制御部２９は、表示部２２に表示された画像がタップ等、選択されたか否かを判定する。
【００８０】
画像が選択された場合（ステップＳ２４；ＹＥＳ）、携帯端末２０は、画像のデータＩＤを送信する（ステップＳ２５）。携帯端末２０Ａのシステム制御部２９は、他端末ＩＤと共に、選択された画像のデータＩＤをデータ評価装置１０に送信する。ここで、選択された画像は、ユーザが興味を示したということで、プラスの評価をされたとする。選択された画像の情報は、評価情報の一例である。なお、システム制御部２９は、ユーザが入力した評価点があれば、画像のデータＩＤ共に評価点を送信してもよい。
【００８１】
このように、携帯端末２０は、評価されたデータのデータＩＤと、データに関する評価情報とをデータ評価装置に送信するデータＩＤ送信手段の一例として機能する。
【００８２】
画像が選択されなかった場合（ステップＳ２４；ＮＯ）、携帯端末２０は、処理を終了する。なお、ユーザが画像の選択後、表示を戻し、次の画像を表示させ、画像を選択した場合も、システム制御部２９は、画像のデータＩＤを送信する。システム制御部２９は、画像が選択される毎に、画像のデータＩＤをデータ評価装置１０に送信する。
【００８３】
次に、データ評価装置１０は、画像のデータＩＤを受信したか否かを判定する（ステップＳ２６）。データ評価装置１０のシステム制御部１４は、携帯端末２０Ａから、携帯端末２０Ａの自端末ＩＤと、画像を撮像した携帯端末の他端末ＩＤと共に画像のデータＩＤを受信する。このように、データ評価装置１０は、送信したデータＩＤのうち少なくとも１つのデータＩＤと、データに関する評価情報と、を携帯端末から受信するデータＩＤ受信手段の一例として機能する。
【００８４】
画像のデータＩＤを受信した場合（ステップＳ２６；ＹＥＳ）、データ評価装置１０は、画像の評価値を変える（ステップＳ２７）。データ評価装置１０のシステム制御部１４は、受信したデータＩＤおよび他端末ＩＤに基づき、画像管理ＤＢ１２ａにおける該当する画像の評価値を変化させる。例えば、システム制御部１４は、選択された場合、画像の評価値を１プラスする。また、評価点も受信した場合、システム制御部１４は、画像管理ＤＢ１２ａにおける該当する画像の評価値に、受信した評価点を加える。マイナスの評価点の場合、画像の評価値が下がる。
【００８５】
ここで、携帯端末２０Ａ以外の携帯端末２０から、画像の選択されたときのデータＩＤを受信した場合も、システム制御部１４は、データＩＤと他端末ＩＤに基づき画像を特定し、画像の評価値を変える。このようにデータ評価装置１０は、各携帯端末２０から、各画像に対する評価を受け付け、集計している。
【００８６】
このように、データ評価装置１０は、受信したデータＩＤと評価情報に基づき、当該データＩＤに対応するデータの評価値を算出する評価手段の一例として機能する。
【００８７】
画像のデータＩＤを受信しなかった場合（ステップＳ２６；ＮＯ）、データ評価装置１０は、処理を終了する。
【００８８】
（２．４  評価のサブルーチン）
次に、評価のサブルーチンについて、図１２を用いて説明する。
【００８９】
図１２に示すように、携帯端末２０は、画像を表示する（ステップＳ３０）。携帯端末２０のシステム制御部２９は、図１１に示すように、データ評価装置１０から受信した他端末ＩＤに対応した画像を、データＩＤ順に表示する。表示部２２に表示されている矢印を指定すると、システム制御部２９は、次の画像を表示する。
【００９０】
次に、携帯端末２０は、画像の選択を受け付ける（ステップＳ３１）。図１１に示すように、表示部２２に表示されている画像を、タップ等により指定すると、携帯端末２０のシステム制御部２９は、その画像が選択されたとして、画像の選択を受け付ける。そして、システム制御部２９は、選択された画像は、プラスに評価されたとして、他端末ＩＤと、選択された画像のデータＩＤとを、評価用に記憶部２４に記憶する。なお、携帯端末２０は、選択された後、図１１に示すように、評価値が入力されるようにしてもよい。この場合、システム制御部２９は、他端末ＩＤと、選択された画像のデータＩＤと共に、評価値を記憶部２４に記憶する。
【００９１】
以上、本実施形態によれば、複数の携帯端末２０からの情報の集計に基づきデータの評価を行うデータ評価装置１０において、携帯端末２０の端末ＩＤと共にデータを携帯端末２０から受信し、端末ＩＤと、データと、当該データに関するデータＩＤとを関連付けて記憶し、携帯端末２０Ａが他の携帯端末２０Ｂから取得した他の携帯端末２０Ｂに関する他の端末ＩＤを、携帯端末２０Ａから受信し、受信した他の端末ＩＤに基づき画像管理ＤＢ１２ａ（記憶手段）を参照して、他の端末ＩＤに関連付けられたデータを少なくとも１つ抽出し、抽出されたデータを、当該データのデータＩＤと共に携帯端末２０Ａに送信し、送信したデータＩＤのうち少なくとも１つのデータＩＤと、データに関する評価情報と、を携帯端末２０Ａから受信し、受信したデータＩＤと評価情報に基づき、当該データＩＤに対応するデータの評価値を算出することにより、発行された端末ＩＤのみ相手に与えるので、データ保有者の個人情報を秘匿でき、評価に参加しやすくなり、ユーザ間でデータを評価し合うことができる。そのため、不特定多数のコミュニケーションを促進できる。
【００９２】
すれ違い時に端末ＩＤのみを、携帯端末同士でやりとりし、その端末ＩＤを用いてすれ違い相手がサーバ装置にアップロードした画像・映像等を取得することにより、個人を特定する情報が存在しないため、個人情報を秘匿できる。
【００９３】
また、携帯端末２０Ａと他の携帯端末２０Ｂとが近づいた際、携帯端末２０Ａは、無線通信により他の携帯端末２０Ｂから他の端末ＩＤを取得する場合、例えば、携帯端末２０Ａと他の携帯端末２０Ｂのユーザがイベント会場等に参加して、互いに意識せずに端末ＩＤを交換でき、後でインターネット上において、互いにデータの評価ができる。
【００９４】
データ評価装置１０が、携帯端末２０に端末ＩＤを発行する場合、端末ＩＤが発行された携帯端末２０同士に限られるため、秘匿性をより高めることができる。
【００９５】
また、画像等を閲覧した時点で相手の端末ＩＤが消去される場合、他の携帯端末との関わりは無くなり、秘匿性をより高めることができる。
【００９６】
他の端末ＩＤを取得した時間を、携帯端末に表示し、他の端末ＩＤを取得した時間を表示して、受信したデータを選択させる場合、すれ違い時間に基づき、ユーザが記憶をたどり、ユーザが見たい画像等を選択できる。また、他の端末ＩＤを取得した場所が表示された場合、すれ違い場所に基づき、ユーザが記憶をたどり、ユーザが見たい画像等を選択できる。
【符号の説明】
【００９７】
１：データ評価システム
１０：データ評価装置
１２ａ：画像管理ＤＢ（記憶手段）
２０、２０Ａ、２０Ｂ：携帯端末
【図１】
2014035758.tif 000003
【図２】
2014035758.tif 000004
【図３】
2014035758.tif 000005
【図４】
2014035758.tif 000006
【図５】
2014035758.tif 000007
【図６】
2014035758.tif 000008
【図７】
2014035758.tif 000009
【図８】
2014035758.tif 000010
【図９】
2014035758.tif 000011
【図１０】
2014035758.tif 000012
【図１１】
2014035758.tif 000013
【図１２】
2014035758.tif 000014